(57)【特許請求の範囲】
【請求項１】
販売する商品の見本体を照らす発光体と、この発光体に数百ミリ秒〜数十秒の周期で点滅させるように調節された電力を供給する制御回路とを備え、前記発光体は平面状に光を照射する板状の発光部と、この発光部を見本体の前方斜上方に向けて支持し見本体展示部または見本体に取付けられる取付部を有する支持部とを備え、前記発光部が基板上に並べられた複数の発光ダイオードからなり、前記制御回路は発光体を点滅させる周波数で発振する非安定マルチバイブレータからなる発振回路と、この発振回路の出力を積分する積分回路と、この積分回路に接続されたダーリントン接続トランジスタからなるドライブ回路とを備えることを特徴とする見本体の照明装置。
【請求項２】
前記制御回路は前記周期で連続的または段階的に照度を変えるように発光体を点滅させるように調節された電力を供給するものである請求項１に記載の見本体の照明装置。
【請求項３】
前記制御回路は、電源を含む自動販売機内の回路につながっている複数の電線をそれぞれ接続する一次・二次の既存ハーネスコネクタに、それぞれ接続可能に構成された二次・一次の割込ハーネスコネクタと、これら二次・一次の割込ハーネスコネクタを構成する各端子間をそれぞれ接続する電線と、これらの電線のうち電源につながっている電線に分岐接続された電源線とを備える割込ハーネス、および、前記発光体に電力を供給する一次の発光体電源線と一次の発光体ハーネスコネクタとからなる一次の発光体ハーネスを備え、
前記発光体は、前記一次の発光体ハーネスコネクタに接続可能に構成された二次の発光体ハーネスコネクタと二次の発光体電源線とからなる二次の発光体ハーネスを備える請求項１又は２に記載の見本体の照明装置。
【請求項４】
前記一次・二次の発光体ハーネスコネクタにそれぞれ接続可能に構成された二次・一次の中継ハーネスコネクタと、これら二次・一次の中継ハーネスコネクタを構成する各端子間をそれぞれ接続する中継発光体電源線とからなる中継ハーネスを備える請求項３に記載の見本体の照明装置。
【請求項５】
請求項１〜請求項４の何れか１項に記載の見本体の照明装置を備えた自動販売機。
【発明の詳細な説明】
【技術分野】
【０００１】
本発明は、見本体の照明装置およびその照明装置を備えた自動販売機に関する。
【背景技術】
【０００２】
図１０は、下記特許文献１に示す、ジュース、コーヒー、ビールなどの飲物や、たばこ、カメラあるいはカメラのフィルムなどの商品を販売するための自動販売機９０の一例を示す図である。この自動販売機９０には、商品の見本体を展示するための展示部９１が設けられ、この展示部９１にたとえば円筒を縦に半分に割った形状の見本体９２を取り付けるようにしていた。
【０００３】
また、前記展示部９１の下には見本体９２を照らす蛍光灯などの照明９３を配置し、見本体９２の底面に貫通穴を形成することにより、夜間に見本体９２を内側から照らすことを可能としている。つまり、見本体９２に消費者の視線を誘導して購買意欲を起こさせるように構成している。
【０００４】
さらに、展示部９１の背面に魅力的な広告プリントを配置したり、見本体９２の前面に広告プレートを配置することが行なわれている。加えて、広告プレートを動かすことにより消費者の視線を効果的に展示部９１に誘導することも行なわれている。
【先行技術文献】
【特許文献】
【０００５】
【特許文献１】特開２００４−１３９６１７号公報
【発明の概要】
【発明が解決しようとする課題】
【０００６】
しかしながら、展示部９１の背面に配置された広告プリントはインパクトに欠けるため消費者の視線誘導効果を十分に得ることが難しいという問題があり、見本体９２の前面に配置した広告プレートは肝心の見本体９２が広告に隠れてしまうことが懸念される。また、可動部分を備える広告は十分な視線誘導効果を期待できる半面、狭い展示部９１内において広告の可動範囲に相当するスペースを占領するので、展示できる見本体９２の数を減らす必要が生じるなどの問題も発生する。
【０００７】
このため、自動販売機９０の外側前面の空いたスペースや側面に広告プリントを貼り付けることが行なわれているが、外気に曝される環境であるから、広告プリント自体に十分な耐候性を備える必要があり、この広告プリントの製造コストの引き上げの原因になるだけでなく、自動販売機９０の照明９３からの光が届かない位置であるから、夜間では視認性が乏しくなるため、消費者の視線誘導効果を十分に得られないという問題が発生する。
【０００８】
本発明は上述の事柄に考慮に入れてなされたものであって、その目的は、極めて簡単な構成でありながら、昼夜を問わず消費者の視線を効果的に捕らえて見本体に注目させることができる見本体の照明装置およびその照明装置を備えた自動販売機を提供することである。
【課題を解決するための手段】
【０００９】
前記課題を解決するため、第１発明は、販売する商品の見本体を照らす発光体と、この発光体に所定の周期で点滅させるように調節された電力を供給する制御回路とを備え、前記発光体は平面状に光を照射する板状の発光部と、この発光部を見本体の前方斜上方に向けて支持し見本体展示部または見本体に取付けられる取付部を有する支持部とを備え、前記発光部が基板上に並べられた複数の発光ダイオードからなり、前記制御回路は発光体を点滅させる周波数で発振する非安定マルチバイブレータからなる発振回路と、この発振回路の出力を積分する積分回路と、この積分回路に接続されたダーリントン接続トランジスタからなるドライブ回路とを備えることを特徴とする見本体の照明装置を提供する。（請求項１）
【００１０】
前記制御回路は例えば二百ミリ秒〜三十秒の予め定めた所定の周期で点滅させるように調節された電力を発光体に供給し、発光体はその電力によって発光して見本体を照らすので、見本体は人間によって点滅を視認しやすい前記周期で点滅するように発光する。つまり、人間の目は変化する映像を敏感に捉えることができるので、周囲照度に関係なく消費者の視線を点滅する見本体に誘導することができる。
【００１１】
前記発光体はあらゆる形状の見本体であってもこれを照らすことができ、例えば、上下方向に伸縮可能な「スライド缶」と呼ばれる見本体、商品の半分だけを模った反割り構造の「ハーフ体」と呼ばれる見本体など、任意の形状のものに使用可能である。
【００１２】
制御回路は少なくとも発振回路を備える電子部品を組み合わせた電子回路、ワンチップマイコン、プログラマブルロジック、シーケンス回路の何れによっても形成することが可能である。また、制御回路の小型化を図って発光体と一体的に形成することにより、設置スペースを抑えることも考えられるが、一つの制御回路に複数の発光体を接続可能として、複数の発光体を同期点滅させることが好ましい。
【００１３】
前記発光体は平面状に光を照射する板状の発光部と、この発光部を見本体の前方斜上方に向けて支持し見本体展示部または見本体に取付けられる取付部を有する支持部とを備えており、発光部が平面的に光を照射するので見本体に対する取り付け位置にズレがあってもほぼその全体に光を照射できる。また、見本体の前方斜上方に向けて発光体を支持する支持部を有するので、取付部の取付角度に関係なく見本体に対して良好な位置への発光部の取り付け位置を容易に行うことができる。
【００１４】
前記取付部は例えば磁気によって見本体展示部の磁性体に吸着保持する強磁性体からなる吸着部であることが考えられ、この場合には磁気によって見本体展示部の磁性体に吸着保持するので、見本体に対する発光部の取り付けを容易とすることができる。また、見本体展示部の磁性体に対してその下面に吸着保持する強磁性体とこの強磁性体に被せて吸着面の磁束密度を引き上げるキャップとからなる吸着部と、この吸着部のキャップに連接されたアーム部とを備える支持部は、見本体に対する発光体の位置決めおよび固定が容易となるので好ましい。しかしながら、取付部は見本体展示部または見本体に挟み込む把持部、粘着糊などによって貼り付ける貼付部、螺子やナットによる締め付けによって固定する固定部など種々の変形も考えられる。
【００１５】
前記発光部が基板上に並べられた複数の発光ダイオードからなり、前記制御回路は発光体を点滅させる周波数で発振する非安定マルチバイブレータからなる発振回路と、この発振回路の出力を積分する積分回路と、この積分回路に接続されたダーリントン接続トランジスタからなるドライブ回路とを備えており、簡単で動作が確実な電子回路の組み合わせによって制御回路を形成することができるので、製造コストの削減と動作の安定化を図ることができる。
【００１６】
なお、ドライブ回路はダーリントン接続トランジスタを用いているのでベース電流が極めて少なく、一つの制御回路から複数の発光体に電力を供給させることを可能としているが、さらに、非安定マルチバイブレータと積分回路の間または積分回路とドライブ回路の間に電流アンプなどのバッファ回路を介在させて、一つの制御回路からより多くの発光体に電力供給を行なうようにして、多数の発光体を同期点滅させるようにしてもよい。
【００１７】
発光部を発光ダイオードによって形成することにより、消費電力を抑えることができ、既存の自動販売機の電源回路に大きな負荷をかけることがない。
【００１８】
前記制御回路は前記周期で連続的または段階的に照度を変えるように発光体を点滅させるように調節された電力を供給するものである場合（請求項２）には、点滅による照度変化によって消費者に不快を与えることがなく、むしろ蛍のように消費者を引き付ける柔らかな点滅となるので、消費者をさらに見本体に引き寄せることができ、商品をより魅力的に展示することができる。
【００１９】
連続的な照度変化をもたらす制御回路の電力制御はアナログ回路を用いて容易に形成することができ、これによってより柔らかな照度変化を実現できるので好ましいが、電力制御を段階的（デジタル的）に行なって任意の照度変化のパターンを形成するようにしても良い。
【００２０】
【００２１】
前記制御回路は、電源を含む自動販売機内の回路につながっている複数の電線をそれぞれ接続する一次・二次の既存ハーネスコネクタに、それぞれ接続可能に構成された二次・一次の割込ハーネスコネクタと、これら二次・一次の割込ハーネスコネクタを構成する各端子間をそれぞれ接続する電線と、これらの電線のうち電源につながっている電線に分岐接続された電源線とを備える割込ハーネス、および、前記発光体に電力を供給する一次の発光体電源線と一次の発光体ハーネスコネクタとからなる一次の発光体ハーネスを備え、前記発光体は、前記一次の発光体ハーネスコネクタに接続可能に構成された二次の発光体ハーネスコネクタと二次の発光体電源線とからなる二次の発光体ハーネスを備える場合（請求項３）には、制御回路は割込ハーネスコネクタを既存ハーネスコネクタに接続することにより、既存の自動販売機から容易に電源を得ることができる。
【００２２】
また、発光体と制御回路を接続する一次および二次の発光体電源線を一次および二次の発光体ハーネスコネクタによって連結できるので既存の自動販売機に対して容易に発光体を取り付けることができる。なお、前記割込ハーネスコネクタの形状および電線の数は、本発明の見本体の照明装置を取り付ける自動販売機の種類に合わせて選択されるものである。
【００２３】
前記一次・二次の発光体ハーネスコネクタにそれぞれ接続可能に構成された二次・一次の中継ハーネスコネクタと、これら二次・一次の中継ハーネスコネクタを構成する各端子間をそれぞれ接続する中継発光体電源線とからなる中継ハーネスを備える場合（請求項４）には、一次・二次の発光体ハーネスコネクタの間に中継ハーネスを介在させることにより、制御回路と発光体の間の物理的な距離を調節することができるので、既存の自動販売機への取り付けをさらに容易に行うことができる。
【００２４】
第２発明は、前記見本体の照明装置を備えた自動販売機を提供する。（請求項５）
【００２５】
前記自動販売機は消費者の視線を効果的に見本体に誘導できるので、商品の販売促進を図ることができ、それだけ売り上げに貢献することができる。自動販売機はジュース、コーヒー、ビールなどの飲物や、たばこ、カメラあるいはカメラのフィルムなど、任意の商品を扱うものであってもよい。
【００２６】
【００２７】
【発明の効果】
【００２８】
上記の構成により、見本体が周囲照度に関係なく点滅することにより消費者の視線を確実に捕らえて見本体に誘導することができ、商品の売り上げに寄与する見本体の照明装置を提供することが可能となる。自動販売機の展示部に設けた全体の照明が点灯しているときであっても、消灯しているときであっても、点滅する発光体によって照らされる見本体を確実に目立たせることができる。
【図面の簡単な説明】
【００２９】
【図１】本発明の第一実施形態に係る見本体が取り付けられる自動販売機の構成を概略的に示す斜視図である。
【図２】上記実施形態の構成を概略的に示す斜視図である。
【図３】上記実施形態の回路構成を示すブロック図である。
【図４】発光体の変形例を示す図である。
【図５】発光体の別の変形例を示す図である。
【図６】発光体のさらに別の変形例を示す図である。
【図７】発光体および見本体の変形例を示す図である。
【図８】第二実施形態の見本体の照明装置の例を示す図である。
【図９】第二実施形態の回路構成を示すブロック図である。
【図１０】従来の見本体と自動販売機を示す斜視図である。
【発明を実施するための形態】
【００３０】
以下、この発明の実施例を、図を参照しながら説明する。
図１は、本発明の第一実施形態に係る見本体の照明装置１が取り付けられる自動販売機２の構成を概略的に示す斜視図であり、図２は、前記見本体の照明装置１の全体構成を示す斜視図、図３はこの見本体の照明装置１の回路構成を示すブロック図である。
【００３１】
自動販売機２は、商品補充のために開閉自在に設けられた扉２Ａを前面に有している。この扉２Ａの上部には、見本体３…を展示するための展示部２Ｂ（見本体展示部）が設けられている。見本体３…の表面には、商品を示す図柄が印刷されているか、または図柄を印刷したラベル３Ｃが貼付などの手段により保持されている（図４〜図６を参照）。なお、本発明の見本体の照明装置１はあらゆる形状の見本体３であってもこれを照らすことができ、上下方向に伸縮可能な「スライド缶」と呼ばれる見本体３のみならず、商品そのものを見本体３としたものであっても、商品の半分だけを模った反割り構造の「ハーフ体」と呼ばれる見本体３など、任意の形状の見本体３に使用可能である。
【００３２】
各展示部２Ｂの下部には、各見本体３に関連付けて商品選択用の押しボタン２Ｃ…が配置され、また、前記自動販売機２の前面下部には、商品取り出し口２Ｄが設けられている。なお、２Ｅは硬貨投入口、２Ｆは紙幣投入口、２Ｇは釣り銭口、２Ｈは釣り銭返却用の操作レバーである。
【００３３】
前記展示部２Ｂには、見本体３を支えるための架台部２Ｉと、この架台部２Ｉに連設された背面部２Ｊと、前記架台部２Ｉの下方に配置された光源４とが設けられており、前記架台部２Ｉには、見本体３の下部とほぼ同じ形状である開口２Ｋが、適宜の間隔をおいて複数設けられている。また、前記光源４は、たとえば蛍光灯であり、光源４からの光は、前記開口２Ｋを経て、前記見本体３に照射され、この照射により、見本体３がライトアップされることになる。
【００３４】
図２に示すように、見本体３は、たとえばポリプロピレン、ポリカーボネート、ポリエチレンテレフタレート（ＰＥＴ）などの樹脂で形成されており、開口２Ｋに着脱自在に形成された下パーツ３Ａと、この下パーツ３に対して上下方向に摺動可能に連接された上パーツ３Ｂを備える。
【００３５】
５は前記見本体３内に収容された状態で固定されて見本体３を内側から照らすように構成された発光体であり、６はこの発光体に電力を供給する制御回路、７は自動販売機２の内部にある既存のハーネスにそれぞれ接続可能に構成されて自動販売機２から電力を得る割込ハーネス、８は制御回路６によって調節された電力を発光部５に供給する一次の発光体ハーネス、９はこの一次の発光体ハーネス８に連結可能に構成された中継ハーネス、１０は一次の発光体ハーネス８または中継ハーネス９に連結可能に構成された二次の発光体ハーネスである。
【００３６】
前記発光体５は前記二次の発光体ハーネス１０によって供給される電力を用いて面状に発光する発光部１１と、この発光部１１を見本体３の前方斜め上方に向けて見本体３の背面に固定する支持部１２とを備える。なお、発光部１１は発光ダイオードからなる発光素子１１Ａを複数並べて設けた基板１１Ｂからなり、支持部１２は展示部２Ｂを構成する鉄板などの磁性体に対してその下面に吸着保持する強磁性体Ｍとおよびこの強磁性体Ｍに被せて吸着面の磁束密度を引き上げるキャップＣとからなる取付部（吸着部）１２Ａと、この取付部１２ＡのキャップＣに一端が連接された水平板Ｐおよびこの水平板Ｐの他端に立設し発光部１１を斜め４５°の角度で保持するように湾曲させたアーム１２Ｂとを備える。
【００３７】
なお、キャップＣに対する水平板Ｐの連結およびアーム１２Ｂへの発光部１１の取付は例えば螺子１２Ｃによる螺合によって行われ、アーム１２Ｂと水平板Ｐとの連結はアーム１２Ｂに形成した雌ねじに対するナットＮによる螺合によって行われることにより、支持部１２による発光部１１の支持を安定して行うことができる。また、発光体５の展示部２Ｂへの取り付けは強磁性体Ｍによる吸着保持であるから取り付けがワンタッチで行うことができ、見本体３に対する取り付けの調整は磁力に抵抗して位置をずらすだけであるから、極めて容易に行うことができる。また、磁力による吸着保持は吸着状態において安定するので、取り付けた発光体５の落下を防止できる。
【００３８】
前記割込ハーネス７は、一次・二次の既存ハーネスコネクタ２Ｌ、２Ｍにそれぞれ接続可能に構成された二次・一次の割込ハーネスコネクタ７Ｂ，７Ａと、これらの割込ハーネスコネクタ７Ｂ，７Ａを構成する各端子間をそれぞれ接続する電線７Ｃ…と、これらの電線７Ｃ…のうち電源に接続されている電線７Ｃに分岐接続された電源線７Ｄとを備える。すなわち、割込ハーネス７を電源を含む自動販売機内の回路につながっている既存のハーネスの間に割り込ませることにより、見本体の照明装置１のための電源を容易に得ることができる。
【００３９】
前記一次の発光体ハーネス８は、発光体５に電力を供給する一対の電線からなる一次の発光体電源線８Ａと、この一次の発光体電源線８Ａに接続された一次の発光体ハーネスコネクタ８Ｂとを備え、それぞれ発光体５への電力供給を行なうものであり、本実施形態では制御回路６から４本の一次の発光体ハーネス８を備えることにより４個の発光体５を同期させて点滅させることができるように構成している。
【００４０】
前記発光体ハーネス１０は、前記一次の発光体ハーネス８に接続された状態で一次の発光体電源線８Ａに電気的に接続される二次の発光体電源線１０Ａと、一次の発光体ハーネスコネクタ８Ｂに接続可能に構成された二次の発光体ハーネスコネクタ１０Ｂとからなり、一次の発光体ハーネス９に電気的に接続された状態で制御回路６から出力される電力を発光部１１に供給するものである。
【００４１】
加えて、前記中継ハーネス９は、一次・二次の発光体ハーネスコネクタにそれぞれ接続可能に構成された二次・一次の中継ハーネスコネクタ９Ｂ，９Ａと、これら二次・一次の中継ハーネスコネクタ９Ｂ，９Ａを構成する各端子間をそれぞれ接続する中継発光体電源線９Ｃとからなる。つまり、一次の発光体ハーネス８と二次の発光体ハーネス１０の間に中継ハーネス９を介在させるように連結することにより、制御回路６と発光体５の間の距離を調節することができる。
【００４２】
図３に示すように、前記制御回路６は発光体５を点滅させるため予め定められた所定の周期（例えば二百ミリ秒〜三十秒）で発振する発振回路２０と、この発振回路２０の出力を積分する積分回路２１と、この積分回路２１に接続されたダーリントン接続トランジスタからなるドライブ回路２２とを備える。なお、前記発振回路は例えば非安定マルチバイブレータのように動作が確立されたものであることにより構成が簡素になり、その製造コストを削減できると共に動作が安定するので好ましい。また、前記積分回路２１は発振回路２０の出力を積分するものであり、例えば抵抗とコンデンサによって定まる時定数の積分を演算する回路であることにより回路の簡素化を図ることができる。
【００４３】
加えて、ドライブ回路２２はダーリントン接続トランジスタであることにより簡素な構成でありながらベース電流を可及的に小さくすることができるので、一つの発振回路２０に４つの積分回路２１とドライブ回路２２を接続して、一つの制御回路６に４つの発光体５を接続することを可能としている。
【００４４】
前記見本体の照明装置１は割込ハーネス７を用いて既存の自動販売機２の電源に制御回路６を分岐接続することができ、既存の自動販売機２に対して容易に接続して、これを動作させることができる。一方、前記発光体５は見本体３の背面に開設した貫通穴にナット締め固定することにより、見本体３内に設置することができる。このとき、発光体５を構成する発光部１１は複数の発光素子１１Ａを平面上に並べて設けた基板１１Ｂであるから、光をほぼ平面的に発光することができ、少々の位置ずれが発生しても見本体３を内部から万遍なく照らすことができる。
【００４５】
次いで、見本体３を自動販売機２の開口２Ｋに取り付けるときには二次の発光体ハーネス１０を開口２Ｋに挿通させた状態で（中継ハーネス９を介して）一次の発光体ハーネス８に接続する。このとき各電線がハーネスコネクタ８Ｂ，９Ａ，９Ｂ，１０Ｂによって分断できるようにしているので、取り付けが容易である。
【００４６】
また、中継ハーネス９を介在させるかどうかによって電線の長さを調整することが可能である。図１に示す例では上段の２つの見本体３内の発光体５に配線するときには中継ハーネス９を用い、下段の２つの見本体３内の発光体５に配線するときには一次の発光体ハーネス８に直接的に接続する。なお、制御回路６は自動販売機２内の適宜の位置に取り付けることが好ましい。
【００４７】
上述のように自動販売機２に接続された制御回路６は、前記光源４の点灯・消灯に関係なく電力が供給されるので動作し続ける。つまり、前記発振回路２０は人間の目に点滅が容易に確認できる程度（すなわち、二百ミリ秒〜三十秒）の周期で発振するパルスを生成する。なお、この発振回路２０の発振周波数はその発振をより容易に確認できる数秒〜十数秒の周波数で発振することが好ましく、最適は１０秒〜１５秒である。
【００４８】
次いで、積分回路２１が発振回路２０によって生成されたパルスを積分する。そして、積分された信号をドライブ回路２２によって増幅して発光体５に供給することにより、発光体５に周期的に変動し、かつ、連続的に変化する電力を供給することができる。つまり、発光体５をまるで蛍のように優しく点滅させることができる。したがって、本実施形態では積分回路２１の時定数を４〜６秒程度にしている。
【００４９】
なお、積分回路２１の時定数は前記発振周期の半部以下に設定することにより、十分な照度で点滅を繰り返しながら、１００％、０％の照度になる時間を短くすることができるが、積分回路２１の時定数を発振周期の半分より小さくすることにより、発光体５が１００％、０％の照度になる時間を長くすることができる。他方、積分回路２１の時定数を発振周波数の半分より長く設定することにより、発光体５が１００％または０％の照度とならないようにさらにソフトな発振を繰り返すように設定することができる。
【００５０】
したがって、発光体５は昼夜を問わず常に一定の周期でまるで蛍のように点滅を繰り返すので、消費者はその変化に目を止めやすくなり、その視線を確実に見本体３に誘導することができる。また、本実施形態では発光体５として発光ダイオードを発光素子１１Ａとした発光部１１を用いているので、その消費電力を可及的に抑えることができる。
【００５１】
【００５２】
図４は前記発光体５の変形例となる別の発光体５Ａの例を示す図である。図４において、図１〜図３と同じ符号を付した部分については同一または同等の部分であるから、その重複説明を避ける。
【００５３】
図４に示す発光体５Ａは平面発光可能に構成された有機ＥＬパネルであり、この発光体５Ａは見本体３内に挿入した状態で立て掛けるように配置されるものである。このように元々平面発光可能な有機ＥＬパネルを用いることにより、複数の発光素子を併用する必要がなく、それだけ、構成を簡素にすることができ、また、消費電力の削減を図ることができる。なお、平面発光可能な有機ＥＬパネルは湾曲可能なシートに形成することが可能であるから、図示は省略するが、湾曲させた有機ＥＬパネルの表面に見本体３の商品の内容を示す印刷を直接施したり、商品の内容を示すシートを貼り付けるなどして見本体３の前面に商品表示シート３Ｃとしてセットできるようにしてもよい。
【００５４】
図５はさらに異なる発光体５Ｂの例を示す図である。図５においても第１実施形態と同一の符号を付すことにより同一または同等の部材の重複説明を省略する。
【００５５】
図５に示す発光体５Ｂは複数の発光ダイオード１１Ｃを見本体３の表側の下方から斜め上方に照射するように配列した状態で保持する半円の台１１Ｄを備える。すなわち、見本体３をその表側からほぼ万遍なく照らすことにより、見本体３の商品表示シート３Ｃをその表側から照らすことができる。つまり、商品表示シート３Ｃは発光体５からの光を透過光ではなく反射光によって表示させることができるので、より自然な照明となる。
【００５６】
図６は発光体５の異なる取り付け方法を示す図である。図６において、図１〜図５と同じ符号を付した部材は同一または同等の部材である。
【００５７】
図６に示す発光体５Ｃは発光部１１を支持する斜め４５°に湾曲させたアーム１２Ｄと、このアーム１２Ｄの基端部において見本体３の背面部に開設させた貫通穴に螺合連結させる締め付けナットからなる取付部（把持部）１２Ｅとを備え、アーム１２Ｄの先端部において前記発光部１１を螺子１２Ｆによって固定する。この発光体５Ｃは強調したい商品を展示するときに見本体３に取り付けるか、あるいは見本体３と予めセットにして展示部２Ｂに取り付けることができる。なお、取付部１２Ｅはナットによる締め付け固定による把持のみならず、基端部を挟み込みによって固定するクリップを用いた把持を行うものであってもよい。
【００５８】
図７は発光体５の異なる取り付け方法を示す図である。図７において、図１〜図６と同じ符号を付した部分は同一または同等の部材である。
【００５９】
図７に示す発光体５Ｄは板状の発光部１１と、この発光部１１を見本体展示部２Ｂの背面部２Ｊに貼り付けられる粘着糊などの取付部（貼付部）１２Ｇとを備える。また、この見本体３Ｄは商品の半分だけを模ると共に商品の印刷を施してなる樹脂フィルムからなり、前記背面部２Ｊに形成した長孔２Ｎに挿入させて引っ掛けるフック３Ｅを有する。なお、取付部１２Ｇによって発光部１１を直接的に背面部２Ｊに取り付けるように構成して可及的に簡素に構成しているが、取付部１２Ｇと発光部１１の間にアームを介在させて角度調節を可能としてもよいことはいうまでもない。
【００６０】
前記発光体５Ｄは発光部１１が背面部２Ｊに貼り付けられるものであるから、取り付けが容易であり、半割り構造の見本体３Ｄであってもその内部から光を照射することができる。なお、図１〜図６に示す発光体５，５Ａ〜５Ｃによって、図７に示す反割り構造の見本体３Ｄに光を照射することも可能である。
【００６１】
図８は本発明の第２実施形態に係る見本体の照明装置３０の構成を示す図であり、図９はその回路構成を説明する図である。この実施形態における見本体の照明装置３０において第１実施形態の見本体の照明装置１と同じ符号を付した部分は同一または同等の部分であるからその詳細な説明を省略する。
【００６２】
図７に示すように、第２実施形態の見本体の照明装置３０において、制御回路６はさらに同期して点滅する発光体５の制御回路６’を接続するための同期信号出力ポート３１を備える。また、制御回路６’には前記同期信号出力ポート３１から入力した同期信号を増幅するバッファ３２と、さらに発光体５を増設するための同期信号出力ポート３３とを備える。
【００６３】
本実施形態のように、バッファ３２を介在させることにより多数の発光体５を同期させて点滅させることが可能となり、それだけ、消費者の視線誘導をより確実に行うことが可能となる。
【符号の説明】
【００６４】
１，３０  見本体の照明装置
２  自動販売機
３  見本体
５、５Ａ〜５Ｄ  発光体
６、６’  制御回路
７  割込ハーネス
７Ａ，７Ｂ  割込ハーネスコネクタ
７Ｃ  電線
７Ｄ  電源線
８  一次の発光体ハーネス
８Ａ  一次の発光体電源線
８Ｂ  一次の発光体ハーネスコネクタ
９  中継ハーネス
９Ａ  一次の中継ハーネスコネクタ
９Ｂ  二次の中継ハーネスコネクタ
９Ｃ  中継発光体電源線
１０  発光体ハーネス
１０Ａ  二次の発光体電源線
１０Ｂ  二次の発光体ハーネスコネクタ
１１  発光部
１１Ａ，１１Ｃ  発光ダイオード
１１Ｂ  基板
１２  支持部
１２Ａ  取付部（吸着部）
１２Ｂ  アーム
１２Ｃ  螺子
１２Ｅ  取付部（把持部）
１２Ｇ  取付部（貼付部）
２０  発振回路
２１  積分回路
２２  ドライブ回路
【図１】
0005666950.tif 000002
【図２】
0005666950.tif 000003
【図３】
0005666950.tif 000004
【図４】
0005666950.tif 000005
【図５】
0005666950.tif 000006
【図６】
0005666950.tif 000007
【図７】
0005666950.tif 000008
【図８】
0005666950.tif 000009
【図９】
0005666950.tif 000010
【図１０】
0005666950.tif 000011